(57)【要約】【課題】カードの暗証番号の管理において、利便性とセキュリティ性の両方を実現できる技術を提供する。【解決手段】本端末（携帯型暗証番号管理装置）１００は、画面（タッチパネル）１１０、生体情報リーダ１２０、挿入口１３０（カードリーダ機能を持つ）などを備え、内部に、カード１０に対応付けられる暗証番号を含むカード情報を保持できる。ユーザが端末１００にカード１０を挿入して生体認証（本人認証）することで、カード１０の暗証番号などの情報を画面１１０に表示できる。ユーザは暗証番号を記憶する必要が減り、セキュアに暗証番号を管理できる。【選択図】図１
2011034259.tif 000002
【特許請求の範囲】
【請求項１】
ユーザの生体情報を用いた生体認証による本人認証を行う認証手段と、
前記ユーザの所有するカードの記録情報を読み取るカードリーダ手段と、
前記ユーザの操作による情報を入力する入力手段と、
前記ユーザの所有する１つ以上のカードに対応付けられるカード毎の暗証番号を含むカード情報を保持する保持手段と、
前記カード情報を表示する表示手段と、を有し、
前記認証手段による本人認証の結果に基づき、前記カードリーダ手段により読み取ったカードに対応付けられる、前記暗証番号を含むカード情報を、前記保持手段から読み出し、前記表示手段により表示すること、を特徴とする携帯型暗証番号管理装置。
【請求項２】
請求項１記載の携帯型暗証番号管理装置において、
前記ユーザの操作に基づき前記入力手段により前記暗証番号を含むカード情報を前記保持手段に登録する登録手段を有し、
前記認証手段による本人認証の結果に基づき、前記カードリーダ手段により読み取ったカードに対応付けられる、前記暗証番号を含むカード情報を、前記登録手段により登録すること、を特徴とする携帯型暗証番号管理装置。
【請求項３】
請求項１記載の携帯型暗証番号管理装置において、
前記保持手段は、前記カード情報として、前記カードのカード識別コードと、前記暗証番号を含むカード付帯情報とを保持し、
前記認証手段による本人認証の結果に基づき、前記カードリーダ手段により読み取った前記カードのカード識別コードに対応付けられる、前記暗証番号を含むカード付帯情報を、前記保持手段から読み出し、前記表示手段により表示すること、を特徴とする携帯型暗証番号管理装置。
【請求項４】
請求項１記載の携帯型暗証番号管理装置において、
前記保持手段に保持するための前記カード情報を前記ユーザの操作に基づき前記入力手段により編集する編集手段を有し、
前記編集手段は、前記ユーザの選択に基づき、前記カード情報のうち前記暗証番号を含むカード付帯情報を対象として、追加、変更、及び削除の処理を実行すること、を特徴とする携帯型暗証番号管理装置。
【請求項５】
請求項２または４に記載の携帯型暗証番号管理装置において、
前記保持手段に保持するための前記カード情報のうち前記暗証番号を、本装置で管理する１つ以上のカードの１つ以上の暗証番号が異なるように、自動生成して決定する自動生成手段を有し、
前記決定された暗証番号を含むカード情報を、前記表示手段により表示し、前記保持手段に保持すること、を特徴とする携帯型暗証番号管理装置。
【請求項６】
請求項１記載の携帯型暗証番号管理装置において、
前記カードによるサービスを提供する外部システムの端末装置との間で情報通信を行う通信手段と、
前記認証手段による本人認証の結果に基づき、前記カードリーダ手段により読み取ったカードに対応付けられる、前記カードの記録情報及び前記暗証番号を含むカード情報を、前記保持手段から読み出して、前記通信手段を通じて、前記外部システムの端末装置に送信して処理させる送信手段と、を有すること、を特徴とする携帯型暗証番号管理装置。
【請求項７】
請求項６記載の携帯型暗証番号管理装置において、
前記送信手段を用いた情報の送信後、前記外部システムの端末装置との間での認証の結果に基づき、前記外部システムに前記カードに対応付けられる前記サービスの提供を受けることに対応した処理を実行させること、を特徴とする携帯型暗証番号管理装置。
【請求項８】
請求項１記載の携帯型暗証番号管理装置において、
前記カードによるサービスを提供する外部システムの端末装置との間で情報通信を行う通信手段と、
前記認証手段による本人認証の結果に基づき、前記カードに対応付けられる、カード付帯情報を含むカード情報を、前記通信手段を通じて、前記外部システムの端末装置から受信して、前記保持手段に保持する受信手段と、を有すること、を特徴とする携帯型暗証番号管理装置。
【請求項９】
請求項８記載の携帯型暗証番号管理装置において、
前記受信手段を用いて、前記外部システムの端末装置から前記カード情報を事前に受信して前記保持手段に登録し、
前記事前登録の後、前記入力手段による入力操作に基づき、前記カードリーダ手段により読み取ったカードと、前記事前登録済みのカード情報との対応付けを実行すること、を特徴とする携帯型暗証番号管理装置。
【請求項１０】
カードを所有するユーザが使用する携帯型暗証番号管理装置と、カードと暗証番号により本人認証してサービスを提供するカードシステムと、を含んで成るカード情報処理システムであって、
前記携帯型暗証番号管理装置は、
ユーザの生体情報を用いた生体認証による本人認証を行う認証手段と、
前記ユーザの所有するカードの記録情報を読み取るカードリーダ手段と、
前記ユーザの操作による情報を入力する入力手段と、
前記ユーザの所有する１つ以上のカードに対応付けられるカード毎の暗証番号を含むカード情報を保持する保持手段と、
前記カード情報を表示する表示手段と、
前記ユーザの操作に基づき前記入力手段により前記暗証番号を含むカード情報を前記保持手段に登録する登録手段と、
前記カードシステムの端末装置との間で情報通信を行う通信手段と、を有し、
前記携帯型暗証番号管理装置は、前記ユーザの操作に基づき、前記認証手段による本人認証の結果に基づき、前記カードリーダ手段により読み取ったカードに対応付けられる、前記カードのカード識別コード及び暗証番号を含むカード情報を、前記保持手段から読み出して、前記通信手段を通じて、前記カードシステムの端末装置に送信し、
前記カードシステムの端末装置は、前記携帯型暗証番号管理装置との間での認証の結果に基づき、前記受信したカード情報に対する処理、または前記カードに対応付けられる前記サービスを提供する処理を実行すること、を特徴とするカード情報処理システム。
【請求項１１】
カードを所有するユーザが使用する携帯型暗証番号管理装置と、カードと暗証番号により本人認証してサービスを提供するカードシステムと、を含んで成るカード情報処理システムであって、
前記携帯型暗証番号管理装置は、
ユーザの生体情報を用いた生体認証による本人認証を行う認証手段と、
前記ユーザの所有するカードの記録情報を読み取るカードリーダ手段と、
前記ユーザの操作による情報を入力する入力手段と、
前記ユーザの所有する１つ以上のカードに対応付けられるカード毎の暗証番号を含むカード情報を保持する保持手段と、
前記カード情報を表示する表示手段と、
前記ユーザの操作に基づき前記入力手段により前記暗証番号を含むカード情報を前記保持手段に登録する登録手段と、
前記カードシステムの端末装置との間で情報通信を行う通信手段と、を有し、
前記携帯型暗証番号管理装置は、前記ユーザの操作に基づき、前記認証手段による本人認証の結果に基づき、前記カードシステムの端末装置と前記通信手段により通信し、
前記カードシステムの端末装置は、前記携帯型暗証番号管理装置との間での認証の結果に基づき、前記カードのカード識別コード及びカード付帯情報を含むカード情報を、前記携帯型暗証番号管理装置に送信し、
前記携帯型暗証番号管理装置は、前記カードシステムの端末装置から受信したカード情報を、前記保持手段に登録して保持すること、を特徴とするカード情報処理システム。
【発明の詳細な説明】
【技術分野】
【０００１】
本発明は、磁気カードやＩＣカードなどのカード（カード媒体）と暗証番号（パスワード）とを用いて利用者（ユーザ）の認証（本人認証）を要するシステム（カードに対応付けられるサービスを提供するカードシステム）の技術に関し、特に、暗証番号の管理及び入力操作のための技術に関する。
【背景技術】
【０００２】
銀行のＡＴＭ端末などの本人認証を要するシステムでは、システム／サービスへのアクセス権限を持つカードと、それと対になる、カード所有者を特定するための暗証番号とを用いて、システム／サービスの利用のための認証（本人認証）を実施している。そのため、利用者は、カードと対になる暗証番号を記憶、管理する必要がある。
【０００３】
暗証番号としては、利用者にとって覚えやすい個人情報、例えば生年月日や電話番号などに基づく暗証番号が使用されることが多い。その場合、他人に類推される可能性が高く、これにより、なりすまし等の犯罪が後を絶たない。このことから、最近では、覚えやすい個人情報に基づく暗証番号を設定できないシステムが多くなっている。
【０００４】
上記のような背景のため、カードと対応付けられる暗証番号は、利用者にとって複雑で覚えにくいものを使用する傾向または必要性が高くなっている。
【０００５】
また、ＩＣカードの普及などに伴い、個人で複数のカードを所有することが多くなっている。所有する複数のカードに対して同一の暗証番号を設定した場合、利便性は高くなるが、１つの暗証番号の漏洩が所有カード全体に影響を与えるため、セキュリティ上のリスクが高くなる。しかし、所有する複数のカード毎に異なる暗証番号（覚えにくい暗証番号）を設定した場合、セキュリティ上のリスクを低くできるが、利用者がそれらの暗証番号を全て記憶（暗記）することは難しくなり、利便性が大幅に低減し、更に所有カード数が増えるほど困難になる。
【０００６】
上記のように、利用者によるカードの暗証番号（特に複数のカードの複数の暗証番号）の記憶、管理に関して、利便性とセキュリティ性の双方を満たすことが困難な状況となっている。複雑な暗証番号を設定した場合、類推の可能性を低くできるのでセキュリティ性を向上できるが、当該暗証番号を覚えにくくなり、忘れた場合にはサービスを利用できなくなる等、利便性が低下する。逆に、簡単な暗証番号を設定した場合、利便性が向上するが、セキュリティ性が低下する。
【０００７】
先行技術として、複雑で覚えにくい暗証番号を容易に記憶、入力できるようにする方式として、例えば特開２００４−２１３１１７号公報（特許文献１）に示すマトリックス認証方式がある。この方式では、マトリックス上に文字や図形を配置し、予め利用者が決めた文字や図形の表示位置に示される乱数値をパスワードとして入力する。この方式により、利用者は、絵文字などの組み合わせ（覚えやすい情報）を記憶することで、複雑なパスワードは記憶せずに、システム利用時にセキュアな暗証番号を使用することができる。
【０００８】
また、複数のシステムにおける複数の暗証番号を一元管理するための技術として、例えば特開２０００−２５９５６６号公報（特許文献２）に示すパスワード一元管理方式がある。この方式では、複数の業務システムに対する異なるパスワードを管理サーバで一元管理し、管理サーバへの認証に成功すると、シングルサインオンにより、管理サーバが対象システムへのパスワード入力を自動代行する。この方式により、単一の暗証番号を記憶することで、複数のカード所有時であっても、利便性を損ねずセキュアな暗証番号を使用することができる。
【０００９】
また、暗証番号の代わりに生体情報を使用する方式として、例えば特開２００８−６５８５０号公報（特許文献３）に示す認証処理システムがある。このシステムでは、生体情報の認証デバイスを利用者に装着し、認証デバイスが個人認証を実施する。認証デバイスは、個人認証が成立した場合、サーバなどの外部機器と認証デバイスとの間の認証を経て、利用者へのサービスを提供する。これにより、暗証番号（その記憶）を不要とし、セキュリティ性及び利便性を兼ねたシステム利用を実現することができる。
【００１０】
加えて、例えば特開２００６−９２４４４号公報（特許文献４）に示す入出金システムのように、生体情報をＩＣカードに登録する方式も提案されている。このシステムでは、カード上に認証機能を持つ生体センサとＩＣチップを搭載し、そのＩＣチップに暗証番号と生体情報を記録する。システム利用者は、カードの認証機能により本人認証を実施し、認証に成功した場合、ＡＴＭ端末などがカード内に記録された暗証番号をシステムのホストコンピュータに自動送信する。これにより、既存のＡＴＭ端末に対する大掛かりな改変無しに、特許文献３と同様の効果を得ることができる。
【先行技術文献】
【特許文献】
【００１１】
【特許文献１】特開２００４−２１３１１７号公報
【特許文献２】特開２０００−２５９５６６号公報
【特許文献３】特開２００８−６５８５０号公報
【特許文献４】特開２００６−９２４４４号公報
【発明の概要】
【発明が解決しようとする課題】
【００１２】
前述のように、利用者によるカードの暗証番号（特に複数のカードの複数の暗証番号）の記憶、管理に関して、利便性とセキュリティ性の双方を満たすことが困難な状況となっている。
【００１３】
従来システムでは、カードの利用者がカード所有者本人であることを確認（本人認証）するために、ＡＴＭ端末（カード対応のサービス利用端末）等において、カードに対応付けられる暗証番号の入力を必須としている。前述のなりすましや、スキミングによるカードの複製や、カードの盗難などの各種リスクへの対処が必要とされている。そのため、カードの暗証番号については、他人から類推されにくいもの（長く複雑なもの）を設定することが推奨または必要とされている。かつ、複数のカードを所有する場合には所有カード毎に異なる暗証番号を設定することが推奨または必要とされている。
【００１４】
加えて、暗証番号は、通常（既存）のシステムでは桁数が４桁程度と少ないことも多く、不正者による総当たりに対する危険度も高いことから、定期的な変更も余議無くされている。あるいは、暗証番号の桁数を長くし、使用する記号を複雑にする、といったシステムの対処が要求される。
【００１５】
このような従来システムでは、利用者（カード所有者）が暗証番号を忘れてしまった場合、その後のサービスを受けられない。また、利用者が暗証番号の入力を規定回数以上誤った場合などには、本人であっても、その後のサービスを受けられないような措置がとられる。そのため、暗証番号を複雑にする等してセキュリティを強固にすると、利便性を大きく損なうことになる。
【００１６】
セキュリティ性と利便性の双方を向上または確保するためには、カードと暗証番号による本人認証の方式ではなく、例えば虹彩や静脈などの生体情報に基づく生体認証による本人認証の方式を用いることが望ましい。
【００１７】
しかし、既存の生体認証技術では、１００％の本人認証は不可能であり、また、認証精度を上げると認証速度が低下する。認証精度と認証速度をバランス良く向上させるためには、複数の生体情報を用いた複合認証を用いることも考えられるが、既存の暗証番号を用いたカードシステム等のシステムに対し、代替として、生体認証方式を適用することは、技術的にもコスト的にも困難であることは明らかである。
【００１８】
なお、上記問題につき、既存の課題を解決するために提案されている前述の先行技術例に関しては、以下のような問題がある。
【００１９】
前記特許文献１では、暗証番号の代わりに視覚的で記憶しやすい図形（パターン）を使用し、表示図形に基づくワンタイムパスワードを利用者に入力させる方式について記載している。この方式は、単一の暗証番号の代替としては有効であるが、複数の暗証番号の代替については考慮が浅く有効ではない。即ち、カード毎に異なる暗証番号を設定する場合は、異なる図形を記憶する必要があり、忘れに関するリスクを払拭しきれない。
【００２０】
前記特許文献２では、複数のシステムの利用であっても利用者が記憶する暗証番号を単一とし、システム毎の暗証番号については管理サーバ側で管理・入力する方式について記載している。この方式では、利用者は複数の暗証番号を記憶する必要は無いが、複雑化する暗証番号についての考慮が浅く、単一とした暗証番号自体の忘れに関するリスクを払拭し切れない。加えて、この方式では、例えば異なる企業が提供するカードシステムを統合する管理サーバを必要とするが、このような企業間の統合管理は、技術的、コスト的、及び個人情報保護等の観点から、多くの問題があり実現が難しいことが明らかである。
【００２１】
前記特許文献３では、生体情報の認証デバイスを利用者に装備し、認証デバイスによる本人認証の結果、及び認証デバイスとシステム端末との間の認証結果に基づき、本人認証を実施する方式について記載している。この方式は、暗証番号を不要とすることから、忘れに関するリスクは払拭できるものの、個人の複数システム利用に関する考慮が浅く、例えば異なる企業が提供するカードシステムへの適用には、特許文献２と同様に問題がある。
【００２２】
前記特許文献４では、生体情報の認証機能を持つカードに、所有者本人の生体情報と暗証番号を登録し、生体情報による本人認証後に、システムに暗証番号を送信する方式について記載している。この方式は、暗証番号を不要とし、かつ個人の複数システム利用についても比較的容易に実現できるものの、対応端末を有するシステムでのみ実現できることから、この方式を適用していないシステムでは問題を解決できない。特にカードシステムの場合、銀行のＡＴＭ端末、コンビニエンスストアなどに適用されている電子マネーシステム、及び免許証や住民票などのＩＣカードシステムなど、多業種、多システムに渡るため、これら全てのカードシステムに対して統合的にこの方式を適用することは現状では困難である。
【００２３】
以上を鑑み、本発明の主な目的は、カードと暗証番号による認証を基本とするシステム（カードシステム）に係わり、カードの暗証番号（特に複数のカードの複数の暗証番号）の管理において、利便性とセキュリティ性の両方を向上または確保できる技術を提供することである。
【００２４】
特に、暗証番号の忘れに関するリスクへの対応として、複数のカードシステムにおける複数のカードの暗証番号に関する利用者による記憶を不要とし、また、多種多様なカードシステムへの対応として既存のカードシステムを改変せずとも利用・適用することができ、既存の利便性を損ねずに高いセキュリティ性を実現できることが望ましい。
【課題を解決するための手段】
【００２５】
本願において開示される発明のうち、代表的なものの概要を簡単に説明すれば、次の通りである。本発明は、カードを所有する利用者（ユーザ）が使用する携帯型の情報処理端末装置（携帯型暗証番号管理装置、以下適宜「端末」と略す）、カードと暗証番号による認証を基本とするシステム（カードシステム）、及びそれらを含んで成る情報処理システムなどの技術であって、以下に示す構成を有することを特徴とする。
【００２６】
（１）（カード情報表示機能）  本発明の携帯型暗証番号管理装置は、ユーザの所有する１つ以上のカードの暗証番号を管理する機能を少なくとも有する端末である。本端末は、ユーザの生体情報（例えば指静脈情報）を用いた生体認証による本人認証を行う認証手段と、前記ユーザの所有するカード（その記録情報）を読み取るカードリーダ手段と、前記ユーザの操作による情報を入力する入力手段と、前記カードに対応付けられる暗証番号（登録暗証番号）を含むカード情報を保持する保持手段と、前記カード情報などの情報を表示する表示手段と、を有する。本端末は、前記認証手段による本人認証の結果に基づき、前記カードリーダ手段により読み取ったカード（その記録情報）に対応付けられる、前記暗証番号（登録暗証番号）を含むカード情報（カード付帯情報）を、前記保持手段から読み出し、前記表示手段により表示する。
【００２７】
（２）（カード情報登録機能）  また、本発明の携帯型暗証番号管理装置は、上記認証手段、カードリーダ手段、入力手段、保持手段、表示手段などに加え、ユーザ操作及び前記入力手段により前記カード情報を前記保持手段に登録する登録手段を有する。本端末は、前記認証手段による本人認証の結果に基づき、前記カードリーダ手段により読み取ったカード（その記録情報）に対応付けて、前記暗証番号（登録暗証番号）を含むカード情報（カード付帯情報）を、前記登録手段により登録する。
【００２８】
（３）（カード情報送信機能）  更に、本発明の携帯型暗証番号管理装置は、上記（１）や（２）の構成に加え、前記カードによるサービスを提供するシステム（カードシステム）の端末装置（サービス利用端末等）などの外部システムとの間で情報通信を行う通信手段を有する。本端末は、前記認証手段による本人認証の結果に基づき、前記カードリーダ手段により読み取ったカード（その記録情報）に対応付けられる、前記暗証番号（登録暗証番号）を含むカード情報（カード付帯情報）を、前記保持手段から読み出して、前記通信手段を通じて、前記外部システムの端末装置に送信し、所定の処理をさせる。
【００２９】
（４）（カード情報受信機能）  更に、本発明の携帯型暗証番号管理装置は、上記（１）や（２）の構成に加え、上記通信手段を有し、前記認証手段による本人認証の結果に基づき、前記カードに対応付けられる、カード付帯情報を含むカード情報を、前記通信手段を通じて、前記外部システムの端末装置から受信して、前記保持手段に保持する。
【００３０】
（５）また、携帯型暗証番号管理装置とカードシステム等の外部システムとを含んで成るカード情報処理システムとして、カードシステムは、認証に基づき、上記（３）の端末（送信機能）から前記カード情報などを受信し、所定の処理やサービス（カード対応のサービス）を提供する。また、カードシステムは、認証に基づき、上記（４）の端末（受信機能）へ、前記カード情報などを送信する。
【００３１】
（６）また、他の形態として以下が挙げられる。本端末は、認証用の生体情報を含む所有者（ユーザ）情報を登録・保持する手段や、本端末の装置情報（装置識別コードなど）を保持する手段などを有する。また、本端末及びシステムが扱うカード情報としては、カード識別コードなどを含むカードの記録情報（読み取り・参照可能な公開情報）に基づいた情報、カードの暗証番号（カードシステムが管理する暗証番号（制御用暗証番号））に対応付けられてユーザにより本端末に登録される暗証番号（登録暗証番号）などを含むカード付帯情報などを有する。本端末は、生体認証による本人認証の成功を条件として、カードリーダ手段による読み取りカードなどに関して、カードの記録情報（カード識別コードを含む）に基づく、端末内の暗証番号（登録暗証番号）などのカード付帯情報などを含むカード情報を取得し、画面に表示してユーザに通知する。また、本端末は、内部に保持し画面に表示されるカード情報（登録情報）を、ユーザ手動により編集（追加、変更、削除等）できるインタフェース（Ｉ/Ｆ）を有する。また、本端末は、カードシステムの端末装置との間で無線通信し、装置情報の授受により装置認証を行い、本端末からカードシステムの端末装置への情報の送信や、カードシステムの端末装置から本端末への情報の受信を行う。
【発明の効果】
【００３２】
本願において開示される発明のうち、代表的なものによって得られる効果を簡単に説明すれば以下の通りである。本発明によれば、カードの暗証番号（特に複数のカードの複数の暗証番号）の管理において、利便性とセキュリティ性の両方を向上または確保できる。
【００３３】
特に、暗証番号の忘れに関するリスクへの対応として、複数のカードシステムにおける複数のカードの暗証番号に関する利用者による記憶を不要とし、また、多種多様なカードシステムへの対応として既存のカードシステムを改変せずとも適用することができ、既存の利便性を損ねずに高いセキュリティ性を実現できる。
【図面の簡単な説明】
【００３４】
【図１】本発明の一実施の形態の携帯型暗証番号管理装置（端末）の外観構成例を示す図である。
【図２】本携帯型暗証番号管理装置の内部構成例を示す図である。
【図３】本携帯型暗証番号管理装置での処理フローの概要を示す図である。
【図４】本携帯型暗証番号管理装置での本人認証処理及びカード情報表示処理を説明するための図である。
【図５】本携帯型暗証番号管理装置での本人認証処理に関するシーケンス図である。
【図６】本携帯型暗証番号管理装置でのカード非使用時のカード情報表示処理に関するシーケンス図である。
【図７】本携帯型暗証番号管理装置での生体認証とカード読み取りによるカード情報表示処理を説明するための図である。
【図８】本携帯型暗証番号管理装置でのカード使用時のカード情報表示処理に関するシーケンス図である。
【図９】本携帯型暗証番号管理装置でのカードシステムとの間での情報の送信・受信について説明するための図である。
【図１０】本携帯型暗証番号管理装置からカードシステムへの情報送信（サービス利用等）の処理に関するシーケンス図である。
【図１１】本携帯型暗証番号管理装置のカードシステムからの情報受信（情報事前登録等）の処理に関するシーケンス図である。
【図１２】本携帯型暗証番号管理装置及びカード情報処理システムにおける、カードに関連する情報の例について説明するための図である。
【発明を実施するための形態】
【００３５】
以下、本発明の実施の形態を図面に基づいて詳細に説明する。なお、実施の形態を説明するための全図において、同一部には原則として同一符号を付し、その繰り返しの説明は省略する。
【００３６】
＜概要＞
実施の形態において、携帯型暗証番号管理装置（端末）１００（図１，図９等）を使用してユーザが選択的に利用できる主な機能として以下がある。
【００３７】
（ａ）（カード情報登録機能）  挿入・読み取りによる特定のカードのカード情報（暗証番号（登録暗証番号）などのカード付帯情報）をユーザ手動入力等により登録する機能。
【００３８】
（ｂ）（カード情報表示機能その１）  挿入・読み取りによる特定のカードのカード情報（上記カード付帯情報を含む）を画面に表示する機能。
【００３９】
（ｃ）（カード情報表示機能その２）  登録済みの１つ以上のカードのカード情報（上記カード付帯情報を含む）を画面に表示する機能。
【００４０】
（ｄ）（カード情報編集機能）  上記画面に表示されるカード情報（上記カード付帯情報）をユーザ手動入力等により編集（追加／変更／削除など）する機能。なお本追加機能は、上記（ａ）の登録機能と同様の機能である。
【００４１】
（ｅ）（暗証番号自動生成機能）  端末１００に登録する暗証番号（登録暗証番号）を自動生成して決定する機能。
【００４２】
（ｆ）（カード情報送信機能）  無線通信による外部システム（カードシステム５００）の利用により、特定のカードのカード情報を端末１００から外部システムへ送信して所定の処理を行わせる機能。
【００４３】
（ｇ）（サービス利用機能）  特に、上記端末１００から外部システム（カードシステム５００）へカード情報（登録暗証番号を含む）を送信する機能を用いて、サービス利用端末等での暗証番号入力操作（通常手順）を省略して直接的・自動的にサービス（カード対応のサービス）を受けること（カードシステムによるサービス提供処理の実行）ができる機能。
【００４４】
（ｈ）（カード情報受信機能）  無線通信による外部システム（カードシステム５００）の利用により、特定のカードのカード情報を外部システムから端末１００へ受信して登録等処理する機能。
【００４５】
（ｉ）（カード情報事前登録機能）  特に、上記外部システムから端末１００へカード情報を受信する機能を用いて、ユーザの未所有カード等に関するカード情報（カード付帯情報を含む）を端末１００に事前登録する機能。また、本機能と関連して、その後、当該カードがユーザの所有状態になったら、当該カード（その記録情報）を端末１００で読み取って当該物理的なカードと上記事前登録済みカード情報（カード付帯情報）との対応付けを実行する機能（カード登録機能／対応付け機能）も有する。また、上記受信機能を用いずに、上記手動入力による登録／編集機能を用いて、事前登録情報を登録することも可能である。
【００４６】
（実施の形態１）
図１〜図８等を用いて、本発明の実施の形態１の携帯型暗証番号管理装置及びカード情報処理システムについて説明する。実施の形態１での基本的な機能として、カード情報登録機能や編集機能（図３のＳ２０）やカード情報表示機能（図３のＳ１１等）などを有する。
【００４７】
＜端末（外観）＞
図１に、本発明の実施の形態１における携帯型暗証番号管理装置（端末）１００の外観を示す。端末１００は、磁気カードやＩＣカードなどのカード（カード媒体）１０を所持し利用するユーザ（カード所持者）が携帯して利用する装置であり、少なくとも、本特徴的な暗証番号管理機能を備える。端末１００は、暗証番号管理機能を主とする専用の装置であってもよいし、例えば携帯電話機などに暗証番号管理機能を備える装置などであってもよい。
【００４８】
端末１００は、筐体に、入力機能及び表示機能を持つタッチパネル（画面）１１０、生体認証機能を持つ生体情報リーダ１２０、カードリーダ機能を持つ挿入口１３０、及びその他図示しない操作部（入出力Ｉ/Ｆ）や通信部などを備える。端末１００の内部には、これら各部に対応した機能を構成するＩＣ回路などを備える。
【００４９】
タッチパネル１１０の入力機能としては、本画面をユーザがタッチ等操作することで情報入力が可能である。また、タッチパネル１１０の表示機能としては、本画面に、テキストや画像などにより、メニューや、カード１０に関連する各種の情報を表示可能である。なお、このような入力機能・表示機能を別の部位に分けて実装した形態としても勿論構わない。
【００５０】
生体情報リーダ１２０は、端末１００の所有者を認証（生体認証）するために、指静脈情報などの生体情報を読み取る。ユーザが指１９０を生体情報リーダ１２０にタッチすると、指静脈情報が読み取られる。
【００５１】
挿入口１３０は、ＩＣカードなどのカード１０（その記録情報）を読み取るカードリーダ機能を備える。ユーザにより挿入口１３０にカード１０が挿入されると、カード１０に記録されている情報が読み取られる。その後、適宜カード１０が引き抜かれる。なお、挿入口１３０（カードリーダ機能）の実装については、本例のようなカードの挿入の形式に限らず、カードをかざす、タッチする等、カードの記録情報が読み取れる形式であればいずれも可能である。
【００５２】
＜端末（内部）＞
図２に、端末１００の内部構成を示す。端末１００は、主に、操作Ｉ/Ｆ部２００、操作処理部２１０、情報保持部２２０、情報処理部２３０、及び外部Ｉ/Ｆ部２４０により構成される。
【００５３】
操作Ｉ/Ｆ部２００は、ユーザによる端末１００の操作のＩ/Ｆを提供し、情報表示部２０１（表示機能）、及び入力操作部２０２（入力機能）などにより成る。情報表示部２０１は、メニューやカード情報などを画面１１０に表示する。入力操作部２０２は、ユーザによるメニュー項目選択などの際の入力Ｉ/Ｆとなる。本例では、操作Ｉ/Ｆ部２００（２０１，２０２）は、図１のタッチパネル（画面）１１０に対応するが、これに限らず、例えばテンキーによる入力部などを備えてもよい。
【００５４】
操作処理部２１０は、操作Ｉ/Ｆ部２００の制御機能を持ち、表示制御部２１１、及び入力制御部２１２などにより成る。表示制御部２１１は、情報表示部２０１の表示を制御する。入力制御部２１２は、入力操作部２０２での入力内容に応じた制御を実行する。
【００５５】
情報保持部２２０は、本端末１００の機能提供に係わる必要な各種情報データ（後述）を保持するメモリ等の手段であり、装置情報保持部２２１、所有者情報保持部２２２、カード情報保持部２２３、及び認証状態保持部２２４などにより成る。
【００５６】
情報処理部２３０は、情報保持部２２０で保持する情報にアクセスして情報を処理し、また外部Ｉ/Ｆ部２４０を介した外部システム（後述）との連携処理などを実行する部位であり、送受信処理部２３１、本人認証処理部２３２、及びカード情報処理部２３３などにより成る。
【００５７】
送受信処理部２３１は、外部Ｉ/Ｆ部２４０の情報送受信部２４１を用いて、外部システムとの情報の送受信処理を、例えば無線通信９０の方式により実行する。
【００５８】
本人認証処理部２３２は、外部Ｉ/Ｆ部２４０の生体情報読取部２４２（生体情報リーダ１２０）から取得する端末１００の操作者（ユーザ）の生体情報（指静脈情報）と、所有者情報保持部２２２で保持する生体情報（登録生体情報）とを比較して判定することで、生体認証（指静脈認証）による本人認証処理を行う。
【００５９】
カード情報処理部２３３は、外部Ｉ/Ｆ部２４０のカード情報読取部２４３（挿入口１３０のカードリーダ機能）から取得する挿入（読み取り）カード１０の記録情報（カード識別コード等）と、カード情報保持部２２３で保持するカード情報（カード識別コード等）とを比較して判定することで、ユーザ入力操作に応じた各処理を実行する。
【００６０】
外部Ｉ/Ｆ部２４０は、端末１００外部とのＩ/Ｆであり、情報送受信部２４１、生体情報読取部２４２、及びカード情報読取部２４３などにより成る。
【００６１】
情報送受信部２４１は、外部システムとの通信（無線通信９０）により、情報を送受信する。
【００６２】
生体情報読取部２４２は、生体情報リーダ１２０と対応し、端末１００の操作者（ユーザ）の生体情報（指静脈情報）を読み取る。
【００６３】
カード情報読取部２４３は、端末１００（挿入口１３０）に挿入されたカード１０から必要な情報（記録情報）を読み取る。
【００６４】
＜情報データ＞
本実施の形態で扱う情報データの構造例を以下に示す。図１２には、カード１０（例えば銀行のキャッシュカード）に関連する一連の情報（カード情報等）の例を示す。
【００６５】
装置情報保持部２２１は、「装置（端末）識別コード」などを含む「装置情報」を保持する。「装置（端末）識別コード」は、端末１００を一意に識別するコードであり、本端末１００が不正な装置でないことを確認するための認証（装置認証）などに用いられる。
【００６６】
所有者情報保持部２２２は、本端末１００及びカード１０の所有者（ユーザ）に関する「所有者情報」として、「氏名」「住所」「連絡先」「その他」などの所有者識別情報や、生体認証（本人認証）に用いる本所有者の登録生体情報などを保持する。「氏名」は、所有者の氏名（かな漢字、フリガナ、英字など）である。「住所」は、所有者の本籍、住所、郵便番号などである。「連絡先」は、所有者の固定電話番号、携帯電話番号、ＦＡＸ番号、電子メールアドレスなどである。「その他」は、住民基本台帳番号など、所有者の固有情報であり、この情報は詳しい実施の形態に応じて可変である。
【００６７】
カード情報保持部２２３は、カード１０に関連付けられる「カード情報」として、カード１０毎に、「カード識別コード」、「カード番号」、「カード名称」、「サービス提供会社名」、「サービス利用コード」、「暗証番号」、「暗証番号更新期限」、「その他情報」などを保持する。端末１００に登録されるカード情報は、大きくは、カード１０の記録情報に基づく既存の情報（カード識別コードなどの制御用情報）と、登録暗証番号などの、ユーザ等によりカード１０に対して付帯的に対応付けて登録・変更等が可能な情報（カード付帯情報と称する）とに分けられる。
【００６８】
「カード識別コード」は、カード１０に記録されている、当該カード１０を一意に識別しシステムで管理するためのコードであり、カードシステム及び端末１００が参照する。「カード識別コード」等の制御用情報は、例えば、本端末１００で制御用非表示情報とすることにより、ユーザ参照不可能とする。なお「カード識別コード」が例えば「カード番号」と同じである場合などには、本端末１００で表示情報とすることにより、ユーザ参照可能としてもよい。なおカード識別コードを端末１００から外部システム（サービス利用端末等）に送信する際には、カードの記録情報内のコードを送信してもよいし、対応する端末１００内の登録情報内のコードを送信してもよい（同じ値であるため）。
【００６９】
「カード番号」は、カード１０の盤面に印刷／刻印等された情報（及びカードシステムの制御用情報）であり、ユーザが参照する番号（例えば口座番号）である。なお「カード識別コード」が「カード番号」と同じであるカードシステムもあり得る。
【００７０】
「カード名称」は、カード１０の盤面に印刷／刻印等された情報などであり、例えば“○○銀行キャッシュカード”等のカード／サービス／システム等の名称や種別等の情報である。
【００７１】
「サービス提供会社名」は、例えば、銀行名、支店名などの、カード１０に対応したサービス提供会社（カードシステム等）の名称や識別コード等である。この情報は、詳しい実施の形態に応じて、サービス提供会社の連絡先、サービス使用可能時間帯などの付随情報を含んでもよい。
【００７２】
「サービス利用コード」（サービス識別コード）は、カード１０によるサービスに固有の識別コードであり、サービス提供会社（カードシステム）の装置（サービス利用端末等（後述））の正当性を確認（装置認証）する際などに使用される。なお、この情報は、外部システム（カードシステム）のサービスを利用する場合に用いられ、実施の形態１では不要である。
【００７３】
「暗証番号」は、カードシステムにより管理されカード１０に対し専用（１対１）で設定される暗証番号（パスワード等）に関する登録情報（登録暗証番号）である。「暗証番号」は、カードシステムの提供するサービスに対しカード１０によりアクセス・利用する場合に、サービス利用端末等に従来手動入力する暗証番号（制御用暗証番号）に関する記憶、管理のための情報である。「暗証番号」を含むカード付帯情報は、端末１００に登録され、ユーザ操作に応じて画面１１０に表示される。「暗証番号」（登録暗証番号）は、カードシステムが管理している暗証番号（制御用暗証番号）とは独立している。「暗証番号更新期限」は、「暗証番号」の最終更新日、次回更新予定日、有効期限などの、期限に関する情報である。
【００７４】
その他、端末１００の登録情報としては、カード１０を発行するシステムに応じてカード１０に付与・記録されている既存の情報のうちカードリーダ機能を通じて読み取り・参照可能な情報（公開情報）を用いることができる。また、カード１０の記録情報に含まれている情報（カード識別コード以外に例えばカード名称やサービス提供会社名などが含まれている場合）については、そのままそれを読み取って登録情報（制御用情報またはカード付帯情報）にすることができる。カード１０の記録情報に含まれていない情報についても、ユーザ等により情報を入力して登録情報（カード付帯情報）とすることができる。
【００７５】
認証状態保持部２２４は、「生体認証状態」情報を保持する。「生体認証状態」は、端末１００での所有者（ユーザ）の生体認証（本人認証）における、“未実施”、“ＯＫ（成功）”／“ＮＧ（失敗）”などの状態を表す情報である。
【００７６】
カード付帯情報としては、「暗証番号」（登録暗証番号）の他、当該カード１０に関連する各種の情報、例えばカードシステム（サービス提供会社）及びその提供サービス等の情報（例えば銀行名、口座番号など）など、ユーザの利便性に供する情報を自由に登録することができる。
【００７７】
図１２において、カード１０に関連する情報の例を示す。カード１０の記録情報には、カード識別コードなどの読み取り・参照可能な情報（公開情報）と、対応カードシステム（サービス提供会社）のみが参照可能な固有情報（非公開情報）とがある。本端末１００は、固有情報（非公開情報）にはアクセスしない（ただし当該カードシステムが許可する場合はアクセス可能）。またカード１０の記録情報の中には暗証番号（制御用暗証番号）が含まれている場合と含まれていない場合とがある。なお説明上の区別のため、カードシステムが管理する既存の暗証番号を「制御用暗証番号」等と称し、それとは独立して本端末１０にカード付帯情報として登録される暗証番号を「登録暗証番号」等と称する。
【００７８】
カード１０に対応するカードシステムは、カード識別コードと制御用暗証番号のセットをカード認証情報として用いて認証することによりカード対応サービスの提供の処理を行う。カードシステム側は、管理する情報として、例えば、サービス利用端末（例えば銀行のＡＴＭ端末）の装置識別コードや通信アドレス情報、カードシステム／サービスの情報（サービス利用コード等）、及び、カード情報（制御用情報）として、カード識別コード及び制御用暗証番号、カード対応サービス提供に関する顧客情報（ユーザの口座情報など）などを有する。
【００７９】
＜処理フロー＞
図３に、端末１００での処理フローの概要を示す（Ｓは処理ステップを表す）。本例では、ユーザＩ/Ｆとして、画面１１０に表示するメニュー等において、カード情報に関する「表示」、「編集」、「送信」、「受信」、といった項目をユーザに対し提示する。例えば２択やＹｅｓ／Ｎｏ選択等の形式で提示する。そしてユーザが所望の項目を選択することにより当該項目に対応する機能を実行する。またユーザＩ/Ｆとしてはこれに限らず、例えば、画面１１０のメニューにおいて複数（すべて）の機能の項目を一覧表示し、その中からユーザが所望の機能の項目を選択して実行する等としてもよい。なお「外部システム（カードシステム：ＣＳ）利用」（Ｓ４０）に関する処理は、後述する実施の形態２で行う。
【００８０】
まず初めに、Ｓ１で、本端末１００の使用時、所有者（ユーザ）は、指１９０を生体情報リーダ１２０に置く。これにより、端末１００（本人認証処理部２３２）は、生体情報リーダ１２０（生体情報読取部２４２）で読み取った生体情報（指静脈情報）と、本端末１００内（所有者情報保持部２２２）に予め登録保持されている所有者（ユーザ）の登録生体情報とを比較して一致判定すること（生体認証）により、所有者の本人認証処理を行う。本人認証処理（Ｓ１）で認証が成立（ＯＫ）した場合、Ｓ２では、端末１００（挿入口１３０）にカード１０が挿入状態であるか否かを確認する。
【００８１】
挿入されていない場合（Ｎ）、Ｓ３では、ユーザが手持ちの特定のカード１０を使用（挿入・読み取り）した機能を利用するのか（Ｙ「使用」）、あるいは非使用で機能を利用するのか（Ｎ「非使用」）を選択させる。例えば画面１１０に表示する「使用」／「非使用」の項目からユーザにより選択させる。
【００８２】
Ｓ３で「使用」の選択の場合、Ｓ４では、端末１００はユーザに対しカード１０の挿入を促し（例えば図７の画面１１０）、これによりカード１０を挿入口１３０に挿入させる。またＳ２で特定のカード１０がユーザにより挿入状態である場合は（Ｙ）、Ｓ５へ移る。即ち、ユーザが選択等の操作をせずとも自動的に特定のカード１０を使用した機能の利用が選択されたことになる。
【００８３】
Ｓ５では、端末１００は、挿入状態のカード１０（その記録情報）をカードリーダ機能を通じて読み取る。端末１００は、読み取ったカード識別コードなどの情報を用いて、端末１００内の保持情報を検索し、対応する登録情報（カード情報）を読み出す。
【００８４】
一方、Ｓ３で「非使用」の選択の場合、Ｓ３０では、端末１００は、カード非使用に関するメニューを画面１１０に表示する。このメニューは、例えば、カード情報に関する「一覧」（一覧表示）、「事前登録」などの項目を含む。
【００８５】
Ｓ３０で「一覧」の選択の場合、Ｓ３１では、端末１００は、内部（カード情報保持部２２３）に保持しているカード情報（カード付帯情報）をカード名称などで一覧表示する情報を画面１１０に表示する。例えば図４の画面１１０ａのような表示内容（カード名称の一覧が表示される例）である。なお端末１００内に登録されているカード情報が無い場合は表示されない。
【００８６】
Ｓ３１では、操作者（ユーザ）が、画面１１０の登録済みカード一覧の中から、対象とする所望のカード項目を選択する。すると、その特定のカードに対応するメニューの処理（Ｓ１０）に移る。
【００８７】
Ｓ１０では、端末１００は、上記に基づき、特定のカード１０に関するメニューを画面１１０に表示する。このメニューは、例えば、特定のカード情報に関する「表示」、「編集」、「外部システム（ＣＳ）利用」などの項目を含む。メニューの項目からユーザにより選択させる。なお「外部システム（ＣＳ）利用」は、カード１０／カード情報に対応した外部システム（カードシステム）との連携によるサービスや機能を利用する項目である。
【００８８】
「表示」の選択の場合、Ｓ１１では、端末１００は、当該カード項目の詳しいカード情報（登録暗証番号などを含むカード付帯情報）を読み出して画面１１０に表示する。例えば図４の画面１１０ｂのような表示内容（サービス提供会社名称、カード番号、暗証番号、暗証番号更新日などが表示される例）である。なお端末１００内に対応する登録済みカード情報（登録暗証番号など）が無い場合は表示されない。なおＳ５やＳ３１の後すぐにカード情報の表示（Ｓ１１）に移ってもよい。Ｓ１１によりユーザは特定のカード１０のカード情報（登録暗証番号など）を見て確認できる。確認後、ユーザ操作に従い処理を終了することもできる。
【００８９】
＜カード情報登録機能＞
基本的なカード情報登録機能を利用する場合、図３の例では、Ｓ３の「使用」、Ｓ１０の特定カード使用メニューの選択後、カード情報編集のメニュー（Ｓ２０）での「追加」（Ｓ２１）の処理機能を利用すること等により、挿入カード１０に対して新規に登録暗証番号などをユーザ手動入力して登録することができる。また、メニューで新規登録専用の項目を設けて同様に処理しても構わない。
【００９０】
＜本人認証処理＞
次に、図４、図５を用いて、図３の本人認証処理（Ｓ１）の内部処理について説明する。図４は、前記「非使用」時のカード情報表示（Ｓ１１）等の際における関係するブロック構成などを示す。図５は、本人認証処理（Ｓ１）時の処理シーケンスを示す。
【００９１】
端末１００の使用時、操作Ｉ/Ｆ部２００の情報表示部２０１（画面１１０）に、所有者（ユーザ）の本人確認（生体認証）を促す認証要求メッセージを表示する（Ｓ５０１）。そして、ユーザ操作に基づき入力操作部２０２により認証の実行がメニューから選択されると（Ｓ５０２）、操作処理部２１０の入力制御部２１２から、情報処理部２３０の本人認証処理部２３２に、本人認証要求を通知する（Ｓ５０３）。
【００９２】
本人認証処理部２３２は、本人認証要求を受信すると、外部Ｉ/Ｆ部２４０の生体情報読取部２４２に、生体情報（指静脈情報）の読み取りを指示（要求）する（Ｓ５０４）。そして、生体情報読取部２４２は、生体情報リーダ１２０に置かれた指１９０の指静脈情報を読み取り（Ｓ５０５）、読み取った生体情報を本人認証処理部２３２に送信する（Ｓ５０５）。
【００９３】
本人認証処理部２３２は、生体情報読取部２４２から生体情報を受信後、情報保持部２２０の所有者情報保持部２２２から、端末１００内に登録されている所有者（ユーザ）の登録生体情報を読み出し（Ｓ５０６）、前記受信した生体情報と比較して一致判定（生体認証）することにより本人認証を行う（Ｓ５０７）。そして、その判定結果（認証状態（ＯＫ／ＮＧ））を情報保持部２２０の認証状態保持部２２４に通知し（Ｓ５０８）、当該認証判定結果を記録する（Ｓ５０９）。
【００９４】
操作処理部２１０の入力制御部２１２は、情報保持部２２０の認証状態保持部２２４内（認証状態情報）を確認し、上記認証判定結果（認証状態情報）を取得し（Ｓ５１０）、表示制御部２１１に通知する（Ｓ５１１）。そして、表示制御部２１１は、操作Ｉ/Ｆ部２００の情報表示部２０１に、上記認証判定結果が成立（ＯＫ）を示している場合には、操作メニューを画面１１０に表示する（Ｓ５１２）。ＮＧの場合には操作メニューを表示せずに最初に戻る。
【００９５】
＜カード情報表示処理（１）＞
次に、図４，図６等を用いて、前記「非使用」時のカード情報表示（Ｓ１１）等に関する内部処理（登録済みカード一覧表示処理）例について説明する。図６は、この処理シーケンスを示している。
【００９６】
前記Ｓ３で「非使用」が選択されると、操作Ｉ/Ｆ部２００の入力操作部２０２経由で入力制御部２１２が検知する（Ｓ６０１）。入力制御部２１２は、情報保持部２２０のカード情報保持部２２３から、本端末１００内の登録済みカード一覧情報を取得し（Ｓ６０２）、取得した情報を操作Ｉ/Ｆ部２００の表示制御部２１１に送信する。そして、表示制御部２１１は、情報表示部２０１（画面１１０）に、その登録済みカード一覧情報を表示する（Ｓ６０３）。
【００９７】
操作者（ユーザ）が、画面１１０に表示された登録済みカード一覧情報から、詳しい情報（カード情報）を見たい対象となる所望のカード項目を選択する。すると、操作Ｉ/Ｆ部２００の入力操作部２０２経由で入力制御部２１２が検知する（Ｓ６０４）。入力制御部２１２は、情報保持部２２０のカード情報保持部２２３から、選択された対象カードの登録済みのカード情報を取得し（Ｓ６０５）、取得した情報を操作Ｉ/Ｆ部２００の表示制御部２１１に送信する。そして、表示制御部２１１は、情報表示部２０１（画面１１０）に、その対象のカード情報を表示する（Ｓ６０６）。
【００９８】
＜カード情報表示処理（２）＞
図７，図８等を用いて、前記「使用」時のカード情報表示（Ｓ１１）等に関する内部処理（挿入カード情報表示処理）例について説明する。
【００９９】
Ｓ３で「使用」が選択された場合、端末１００は、操作Ｉ/Ｆ部２００の入力操作部２０２経由で入力制御部２１２が検知する（Ｓ８０２）。入力制御部２１２は、情報処理部２３０のカード情報処理部２３３に、カード読み取り要求を送信する（Ｓ８０３）。カード情報処理部２３３は、カード読み取り要求を受信すると、カード情報読み取り（リード）要求を外部Ｉ/Ｆ部２４０のカード情報読取部２４３に送信する（Ｓ８０４）。カード情報読取部２４３は、カード１０が端末１００内（挿入口１３０）に挿入されると（Ｓ４）、当該挿入カード１０に記録されているカード識別コードなどの情報を読み取り、情報処理部２３０のカード情報処理部２３３に送信する（Ｓ８０５）。
【０１００】
カード情報処理部２３３は、カード情報読取部２４３から挿入カード１０のカード識別コードなどの情報を受信すると、情報保持部２２０のカード情報保持部２２３に対して挿入カード１０のカード識別コードに合致する登録済みカード情報の存在検査を行う（Ｓ８０６）。そして、カード１０の読み取り結果（登録済みカード情報の存在）を、操作処理部２１０の入力制御部２１２に送信（通知）する（Ｓ８０７）。入力制御部２１２は、上記読み取り結果の通知に従い、当該カード１０の読み取り結果が本端末１００内に登録されているカード情報に合致していた場合、情報保持部２２０のカード情報保持部２２３から当該読み取りカード１０に対応する登録済みカード情報を取得し（Ｓ８０８）、取得した情報を操作処理部２１０の表示制御部２１１に送信（通知）する。そして、表示制御部２１１は、情報表示部２０１（画面１１０）に、当該カード１０のカード情報を表示する（Ｓ８１０）。
【０１０１】
＜カード情報編集機能＞
また実施の形態１において、端末１００では、ユーザが手動操作で所望のカード情報（登録暗証番号を含むカード付帯情報）を編集（追加、変更、削除等）する編集機能を有する（図３、Ｓ２０）。ユーザは、編集機能を用いて、カード１０に対する登録暗証番号や自由なメモ等を含む情報（カード付帯情報）を端末１００内に登録、編集することができる。なお本機能での編集の対象は、カード情報のうち、カード識別コード等の基本的な情報（制御用情報）を除く、ユーザによる編集が許可されるカード付帯情報である。またＳ１の本人認証の成功などが必要な条件となる。
【０１０２】
本機能を使用する場合、例えば、Ｓ３１の登録済みカード一覧表示からの編集対象カード項目の選択（カード挿入は不要、サービス利用端末は利用不可）による特定カード使用メニュー（Ｓ１０）のカード情報表示処理（Ｓ１１）の後、Ｓ２０では、Ｓ１１での表示情報（カード項目）に対するカード情報編集のメニューを画面１１０に表示する。あるいは、Ｓ４等における端末１００へのカード１０の挿入・読み取り（編集対象カード選択不要、サービス利用端末の利用不可）によるカード情報表示処理の後、同様に編集のメニューを表示する。本メニューでは、例えば、「追加」（登録）、「変更」、「削除」などの項目をユーザにより選択可能である。
【０１０３】
「追加」項目が選択された場合、Ｓ２１では、情報処理部２３０により、端末１００に保持するためのカード情報を新規作成・追加（登録）する追加処理（Ｓ２１）を実行する。また「変更」項目が選択された場合、Ｓ２２では、対象となった既存のカード情報の変更処理を実行する。上記では例えばユーザが操作Ｉ/Ｆ部２００（画面１１０での数字入力等）により登録／変更する暗証番号などを入力する。また「削除」項目が選択された場合、Ｓ２３では、対象となった既存のカード情報の削除処理を実行する。
【０１０４】
＜暗証番号自動生成機能＞
また更に、端末１００は、カード情報の登録や編集の際に、登録暗証番号を乱数等により自動生成して決定する機能も有する。特に、本機能では、端末１００で管理する複数のカードの複数の暗証番号が異なるように自動生成することができる。本機能を用いる場合、登録暗証番号をユーザが入力・決定する手間を省略できる。特に複数の暗証番号を異なるものにすることでセキュリティ性を向上できる。また更に、本機能を用いて定期的に暗証番号を更新することでセキュリティ性を向上できる。
【０１０５】
本機能の利用例については以下である。端末１００は、Ｓ２０の編集のメニューで、端末１００に保持する情報（カード情報）における登録暗証番号の編集（追加、変更）の項目が選択された場合に、更に、本機能を利用するか否かを選択させる項目を表示する。即ち、ユーザ手動入力で任意に暗証番号を登録するのか（「手動設定」）、本機能により暗証番号を自動生成して決定するのか（「自動設定」）、等を選択させる。上記「自動設定」が選択された場合、本機能の処理により、例えば端末１００で管理する複数のカードの複数の暗証番号が存在する場合にそれら全て異なる暗証番号になるように、対象の暗証番号を自動的に決定する。この機能に関しては既存の方式（技術）を適用することができる。例えば情報処理部２３０でこの自動生成機能の処理を行う。
【０１０６】
（実施の形態２）
図９〜図１１、及び前記図３等を用いて、本発明の実施の形態２について説明する。実施の形態２の端末１００、及び、端末１００とその外部システムであるカードシステム５００（サービス利用端末５２０等）を含んで成るカード情報処理システムを有する。実施の形態２のシステムでは、端末１００とカードシステム５００（サービス利用端末５２０または情報登録端末５３０等）との間で通信により連携して、カード情報等の送信・受信などの機能が利用可能である。
【０１０７】
端末１００からカードシステム５００側（サービス利用端末５２０等）へカード情報を送信する送信機能（図３の「送信」）を利用することで、ユーザは例えばサービス利用端末５２０（テンキー５４３）での暗証番号入力操作を省略して直接的にサービスを受けること（「サービス利用」）ができる。また、カードシステム５００側（情報登録端末５３０等）から端末１００へカード情報を受信する受信機能（図３の「受信」）を利用することで、ユーザは例えば発行・配布前で未所有の新規のカード１０について、事前に情報をダウンロードして端末１００内に登録しておくこと（「事前登録」（登録情報受信））等ができる。その後、発行され手に入れたカード１０を端末１００に挿入して、当該カード１０と事前登録済みカード情報との対応付けを実行することができる（対応付け機能（図３のＳ５１））。
【０１０８】
＜カードシステム＞
図９を用いて、端末１００と、その外部システムであるカードシステム（サービス提供システム）５００との連携に関する構成例を説明する。カードシステム５００は、基本的な部分は従来のカードシステムと同様であり、特徴的な処理機能（端末１００との間でカード情報等を授受する機能など）を追加的に備える構成である。
【０１０９】
カードシステム５００は、ホストコンピュータ５１０と、複数のサービス利用端末５２０とが通信網５５０を介して接続される構成である。サービス利用端末５２０とユーザの端末１００との間で無線通信９０などにより通信可能である。カードシステム５００は、所定のカード１０に対応するサービスを提供する。
【０１１０】
ホストコンピュータ５１０は、カード１０によるサービスを制御し、顧客情報ＤＢ（データベース）５１１などを備える。顧客情報ＤＢ５１１には、カード１０を利用してサービスを受けるユーザ（顧客）に関する各種の情報が管理される。
【０１１１】
サービス利用端末５２０は、カード１０の所有者（ユーザ）がサービスを利用するための端末装置であり、通常、カード１０と暗証番号による認証を成功（ＯＫ）した場合に、カード１０対応のサービスを提供する。サービス利用端末５２０は、コントローラ５４０、無線通信ユニット５４１、カードリーダ５４２、テンキー（暗証番号入力部）５４３などを備える。コントローラ５４０は、ホストコンピュータ５１０との間での通信処理も制御する。カードリーダ５４２及びテンキー５４３は、カード１０の読み取り及び暗証番号の入力を通じてサービスを提供するための通常（既存）のＩ/Ｆである。
【０１１２】
なお図９では、後述の情報登録端末５３０の構成も示しており、情報登録端末５３０の構成は、サービス利用端末５２０と同様であり、処理機能やデータの流れが異なる。違いとして、サービス利用端末５２０は、端末１００のカード情報送信機能等に対応した処理を行い、情報登録端末５３０は、端末１００のカード情報受信機能等に対応した処理を行う。またそれら両方の機能に対応した処理を行うことができる端末装置としても構わない。
【０１１３】
＜外部システム（カードシステム）利用＞
前記図３のＳ１０のメニューで「外部システム（カードシステム）利用」が選択された場合、Ｓ４０で、端末１００は、外部システム（カードシステム）利用に関するメニューを画面１１０に表示する。このメニューでは、例えば情報の「送信」／「受信」の項目からユーザにより選択させる。「送信」は、端末１００内に保持しているカード情報をカードシステム５００（サービス利用端末５２０）へ送信してサービスを受ける（「サービス利用」）等の機能を利用する項目である。また、「受信」は、カードシステム５００（情報登録端末５３０）からカード情報を受信して端末１００内に登録（「事前登録」など）する機能を利用する項目である。なお図９で、ａ１，ａ２の流れは、「送信」（「サービス利用」など）の場合にサービス利用端末５２０を利用する場合であり、ｂ１，ｂ２の流れは、「受信」（「事前登録」など）の場合に情報登録端末５３０を利用する場合である。
【０１１４】
＜カード情報送信・サービス利用機能＞
所定のカード１０（例えば銀行のキャッシュカード）を所持するユーザによるサービス利用端末５２０（例えば銀行のＡＴＭ端末）の操作時、カードシステム５００への「送信」によりサービス（例えば口座からの現金引き出し）を受ける場合、Ｓ４０のメニューでユーザにより例えば「送信」の項目が選択される。すると、Ｓ４１で、端末１００は、送信機能に関するメニューを画面１１０に表示する。このメニューは、例えば「サービス利用」の項目を有する。
【０１１５】
Ｓ４１で「サービス利用」の選択の場合、Ｓ４３では、「サービス利用」の機能の処理（登録暗証番号を含むカード情報の送信によるサービス実行の処理）を行う。例えば以下である。端末１００は、挿入口１３０に挿入された特定のカード１０の記録情報（カード識別コードを含む）をカードリーダ機能を通じて読み取る処理を行う。その読み取り情報に対応するカード情報が端末１００（情報保持部２２０）内に存在するか確認する。なおＳ１０までの処理で既に対象のカード情報が読み出されている場合は上記処理を省略できる。
【０１１６】
そして、端末１００とサービス利用端末５２０との間で、相互認証（装置認証処理）を行う。即ち、互いに相手の装置が正当かどうかを認証する。相互の認証が成立（ＯＫ）した場合、上記読み取った情報（対応するカード情報）を、無線通信９０（送受信処理部２３１、情報送受信部２４１）を通じて、サービス利用端末５２０へ送信する。送信する情報は、カード識別コード及びそれに対応付けられる登録暗証番号のセット（カード認証情報）を含む。サービス利用端末５２０は、受信した情報に基づき、カード認証を行うことで、所定のサービスを提供（実行）する処理を行う。これにより、ユーザは、通常の暗証番号入力操作を省略してサービス利用端末５２０でのサービス（例えば現金引き出し）を受けることができる。また、このようにカード１０対応のサービスを受けること（サービス利用）以外にも、本送信機能を用いて、端末１００内のカード情報をカードシステム５００側（顧客情報ＤＢ５１１等）に与えて所定の処理を行わせることもできる。
【０１１７】
＜カード情報送信処理＞
図９，図１０を用いて、前記「送信」の選択時に送信機能を用いて、端末１００が内部の登録情報（カード情報）をカードシステム５００のサービス利用端末５２０へ送信してサービス利用する場合等における情報送受信に関する内部処理について説明する。
【０１１８】
ユーザにより画面１１０のメニューから例えば「使用」が選択され（ＳＡ１）、その後に表示されるメニューで「外部システム（ＣＳ）利用」が選択され（ＳＡ２）、その後に表示されるメニューで「送信」（及び「サービス利用」）が選択される（ＳＡ３）。すると、操作Ｉ/Ｆ部２００の入力操作部２０２経由で入力制御部２１２が検知する。
【０１１９】
入力制御部２１２は、情報処理部２３０の送受信処理部２３１に、情報送信（サービス利用）要求を送信する（ＳＡ４）。送受信処理部２３１は、その要求を受信すると、まず、情報保持部２２０の装置情報保持部２２１から、端末１００に関する装置固有情報（装置識別コード）を含む装置情報を読み出して取得する（ＳＡ５）。そして、取得した装置情報に基づく装置認証指示を、外部Ｉ/Ｆ部２４０の情報送受信部２４１に送信する（ＳＡ６）。
【０１２０】
情報送受信部２４１は、受信した指示内の端末１００の装置固有情報（装置識別コードなど）を含む装置情報を、無線通信９０を通じて、サービス利用端末５２０に送信する（ＳＡ７ａ）。すると、サービス利用端末５２０は、端末１００に対し、自システムの固有情報（カードシステム５００のサービス識別コード、あるいはサービス利用端末５２０の装置識別コードなど）を送信する（ＳＡ７ｂ）。送信された情報を用いて、端末１００とサービス利用端末５２０との間で相互に装置を認証する（ＳＡ８ａ，ＳＡ８ｂ）。そして、その装置認証結果を、サービス利用端末１００から端末１００の情報処理部２３０の送受信処理部２３１に送信（通知）する（ＳＡ９）。
【０１２１】
送受信処理部２３１は、受信した結果により、相互の装置認証の成立（ＯＫ）を確認すると、情報処理部２３０のカード情報処理部２２３経由で外部Ｉ/Ｆ部２４０のカード情報読取部２４３にカード情報読み取り（リード）要求を送信する（ＳＡ１０）。カード情報読取部２４３は、その要求を受信すると、ユーザにより端末１００内（挿入口１３０）に挿入されたカード１０の記録情報（カード識別コードを含む）を読み取る（ＳＡ１１）。そして、その読み取り結果（カード識別コードなどを含む情報）を情報処理部２３０のカード情報処理部２２３経由で送受信処理部２３１に送信する。
【０１２２】
送受信処理部２３１は、その情報を受信すると、情報保持部２２０のカード情報保持部２２３から、その読み取り結果（カード識別コード）に対応付けられる、端末１００内の登録済みカード情報（登録暗証番号を含む）を読み出して取得し（ＳＡ１２）、取得した情報をもとに、外部Ｉ/Ｆ部２４０の情報送受信部２４１に、カード情報送信指示を送信する（ＳＡ１３）。
【０１２３】
情報送受信部２４１は、受信した指示内のカード識別コード及び登録暗証番号などをもとに、カード情報（カード認証情報（例えばカード識別コードと登録暗証番号のセットを暗号化した情報））を、サービス利用端末５２０に無線通信９０を通じて送信する（ＳＡ１４）。
【０１２４】
サービス利用端末５２０は、端末１００からの送信情報（カード情報（カード認証情報を復号化した情報））を、内部の無線通信ユニット５２１で受信する。そして、コントローラ５２４により、ホストコンピュータ５１０の顧客情報ＤＢ５１１にアクセスして照会することでカード認証を行う。そして、その照会結果（カード認証結果）を、無線通信ユニット５２１経由でユーザの端末１００に応答送信する（ＳＡ１５）。端末１００の情報送受信部２４１は、サービス利用端末５２０からの情報（カード認証結果）を受信し、情報処理部２３０の送受信処理部２３１に送信する（ＳＡ１６）。
【０１２５】
送受信処理部２３１は、操作処理部２１０の入力制御部２１１に当該カード認証結果を送信する（ＳＡ１７）。入力制御部２１２は、当該カード認証結果に基づき、表示制御部２１１経由で操作Ｉ/Ｆ部２００の情報表示部２０１に当該カード認証結果を通知する（ＳＡ１８）。その通知に基づき、情報表示部２０１は、画面１１０にサービス利用状況として表示する（ＳＡ１９）。例えばカード認証結果がＯＫの場合、サービス利用端末５２０でのサービスを受けることができる状態であることを表示する。
【０１２６】
＜カード情報受信・登録機能＞
所定のカード１０を所持するユーザによる情報登録端末５３０（例えばコンビニエンスストアの設置端末）の操作時、カードシステム５００からの「受信」による機能を利用する場合、Ｓ４０のメニューでユーザにより例えば「受信」（「事前登録」など）の項目が選択される。すると、Ｓ４２で、端末１００は、受信機能に関するメニューを画面１１０に表示する。このメニューは、例えば「事前登録」（登録情報受信）の項目を有する。また、前記Ｓ３０のカード非使用メニューから直接「事前登録」の項目を選択すること等により本メニューに移ることもできる。Ｓ４２で「事前登録」の選択の場合、Ｓ４４では、「事前登録」の機能の処理（事前登録情報の受信による登録の処理）を行う。例えば以下である。端末１００は、例えば特定のカード１０に関して、前述の送信機能の場合と同様に情報登録端末５３０との間での相互の装置認証処理を行う。認証が成立（ＯＫ）した後、当該特定のカードに対応付けられるカード情報を、情報登録端末５３０から無線通信９０を通じて端末１００に受信し、端末１００内（情報保持部２２０）に登録することができる。
【０１２７】
特に、「事前登録」の機能を用いて、その時点ではユーザが未所有のカード（例えば発行・配布前の新規のカード）についてのカード情報を、情報登録端末５３０から無線通信９０を通じて端末１００へ受信し、端末１００内に事前に登録することができる。また、受信機能を用いずに、手動入力による登録／編集機能（Ｓ２０等）を用いて、事前登録の情報（確定済みで運用上必要な情報の一部）を登録することも可能である。また本機能に係わる対応付け機能では、上記により端末１００内に事前登録済みのカード情報と、その後に端末１００に挿入して読み取ったカード１０（その記録情報）との対応付けの処理を行う。
【０１２８】
対応付けの処理は、例えば、図３では、Ｓ１０のカード使用メニューでの「対応付け」の項目の選択の後のＳ５１の処理において、挿入・読み取りカード（その記録情報）に対して、事前登録済みカード情報を端末１００内から読み出して、手動入力操作により、対応付けの処理を行い、その結果を画面に表示する。あるいは、前記変更処理（Ｓ２２）で当該対応付けを行う機能の項目を備えてもよい。
【０１２９】
対応付け機能を用いた対応付け処理（Ｓ５１）の例として、事前登録済みカード情報（カード付帯情報）が、例えば、（１）登録暗証番号（例「０１２３」）、（２）サービス提供会社名称またはサービス名称（例「日立銀行」）、及び（３）口座番号（例「０１２３４５６７８９」）を有するとする。対応付け処理として、これら（１）〜（３）のカード付帯情報に対し、更に、挿入カード１０（その記録情報）からの読み取り情報である、（４）カード識別コード（例「００１１２２３３４４５５６６７７」）を、手動入力操作により対応付けて端末１００内に登録・保持する。これにより、以降は、上記（４）カード識別コードを用いたカード情報の検索が可能となる。
【０１３０】
＜カード情報受信処理＞
図９，図１１を用いて、前記「受信」の選択により受信機能を用いて、端末１００がカードシステム５００側の登録情報（カード情報）を情報登録端末５３０を通じて受信して端末１００内に登録する場合等における情報送受信に関する内部処理について説明する。
【０１３１】
ユーザにより画面１１０のメニューから「使用」が選択され（ＳＣ１）、その後に表示されるメニューで「外部システム（ＣＳ）利用」が選択され（ＳＣ２）、その後に表示されるメニューで「受信」（及び「事前登録」）が選択される（ＳＣ０３）。すると、操作Ｉ/Ｆ部２００の入力操作部２０２経由で入力制御部２１２が検知する。
【０１３２】
入力制御部２１２は、情報処理部２３０の送受信処理部２３１に、情報受信（事前登録）要求を送信する（ＳＣ４）。送受信処理部２３１は、その要求を受信すると、情報保持部２２０の装置情報保持部２２１から、端末１００の装置固有情報（装置識別コード）を含む装置情報を読み出して取得し（ＳＣ５）、外部Ｉ/Ｆ部２４０の情報送受信部２４１に、その情報に基づく装置認証指示を送信する（ＳＣ６）。
【０１３３】
情報送受信部２４１は、受信した指示内の端末１００の装置情報を、情報登録端末５３０に送信する（ＳＣ７ａ）。また、情報登録端末５３０は、端末１００に対し、自システムの固有情報を送信する（ＳＣ７ｂ）。これにより、相互に装置認証する（ＳＣ８ａ，ＳＣ（ｂ）。その認証結果を、端末１００の情報処理部２３０の送受信処理部２３１に送信（通知）する（ＳＣ９）。
【０１３４】
送受信処理部２３１は、受信した認証結果により装置認証の成立（ＯＫ）を確認すると、情報保持部２２０の所有者情報保持部２２２に保持している所有者情報をもとに、所有者認証指示を、外部Ｉ/Ｆ部２４０の情報送受信部２４１に送信する（ＳＣ１０）。情報送受信部２４１は、受信した指示をもとに、所有者認証情報を、情報登録端末５３０に送信する（ＳＣ１１）。
【０１３５】
情報登録端末５３０は、端末１００からの情報を、内部の無線通信ユニット５３１で受信し、コントローラ５３４により、ホストコンピュータ５１０内の顧客情報ＤＢ５１１に照会することで所有者認証を行う。そして、その照会結果（所有者認証結果）を、無線通信ユニット５２１経由で端末１００に応答送信する（ＳＣ１２）。
【０１３６】
端末１００の情報送受信部２４１は、情報登録端末５３０からの情報（所有者認証結果）を受信し、情報処理部２３０の送受信処理部２３１に通知する（ＳＣ１３）。送受信処理部２３１は、受信した所有者認証結果に従い、認証の成立（ＯＫ）を確認した場合、カード情報取得指示を、外部Ｉ/Ｆ部２４０の情報送受信部２４１に送信する（ＳＣ１４）。情報送受信部２４１は、情報登録端末５３０に、カード情報取得要求を送信する（ＳＣ１５）。
【０１３７】
情報登録端末５３０は、端末１００からの情報（カード情報取得要求）を、内部の無線通信ユニット５３１で受信し、コントローラ５３４により、ホストコンピュータ５１０内の顧客情報ＤＢ５１１にアクセスして対象カード情報を取得し、無線通信ユニット５２１経由で端末１００に応答送信する（ＳＣ１６）。
【０１３８】
端末１００の情報送受信部２４１は、情報登録端末５３０からのカード情報を受信し、情報処理部２３０の送受信処理部２３１に送信する（ＳＣ１７）。送受信処理部２３１は、そのカード情報を、情報保持部２２０のカード情報保持部２２３に記録（登録）し、そのカード情報登録結果を、操作処理部２１０の入力制御部２１１に送信（通知）する（ＳＣ１９）。入力制御部２１２は、表示制御部２１１経由で操作Ｉ/Ｆ部２００の情報表示部２０１に上記結果を通知する（ＳＣ２０）。その結果に基づき、情報表示部２０１は、画面１１０にカード情報登録状況として表示する（ＳＣ２１）。
【０１３９】
＜実施の形態の効果等＞
以上説明したように、実施の形態によれば、本端末１００では、基本的にユーザによるカード１０の挿入及び生体認証の操作のみで、所望のカード１０に対応付けられた暗証番号などのカード情報を、画面に表示して確認することができる。これにより、ユーザは暗証番号などを記憶する必要が無くなり、あるいは記憶する負担が低減され、利便かつセキュアに暗証番号を管理できる。特に、カードシステム側での対応の有無に依存せずに、ユーザが暗証番号を記憶する必要無くセキュアにサービスを受けることができ、また、カードシステム側の対応がある場合にはより利便性が向上できる。ＡＴＭ端末などのサービス提供システム側での対応により、ユーザによるサービス利用時の暗証番号入力や、端末１００内へのカード情報の手動入力による登録等の操作を不要または省略でき、それらの操作の手間が省けるため利便性を向上できる。
【０１４０】
詳しい効果については以下である。本実施の形態の仕組みは、既存のカードシステムに対し、サービス利用端末５２０及びホストコンピュータ５１０などを含むシステム上の一切の改変を必要無くあるいは最小限で適用でき、既存の利便性を損ねず、暗証番号の管理における高いセキュリティ性を実現できる。
【０１４１】
従来のカードと暗証番号による認証の方式を採用している異なる複数のカードシステムにおける複数のカードをユーザが所有し、カード毎に異なる複雑な暗証番号を設定する場合であっても、利用するカードシステム（サービス）のカードと本端末１００を用意することで、カード所有者のみがいつでも対象カード用の暗証番号を確認することができる。
【０１４２】
本カードシステム５００のサービス利用端末５２０等を利用する場合、利用システム（サービス）におけるカードの暗証番号をユーザが記憶すること、及びサービス利用端末５２０における暗証番号の入力等の操作を不要にでき、カード所有者に対し、セキュリティ性と利便性の双方の効果が高いサービスを提供できる。
【０１４３】
また、ユーザが複数のカード１０を所有し管理する場合、類推されにくく、かつ所有カード１０毎に異なる暗証番号を自動生成等により設定でき、カード所有者によるカード毎の暗証番号の管理に関して、利便性の高いサービスを提供できる。
【０１４４】
また、ユーザが複数のカード１０を所有し管理する場合、外観の類似性が高いカードを所有する場合や、カード盤面に記載されていない情報がある場合であっても、本端末１００内にカード１０の記録情報を読み込ませることで、当該カード１０に関連する情報を表示して確認することができる。
【０１４５】
また、カードシステムが本実施の形態の仕組みを適用していない場合、及びカードの新規発行時に所定の発行手続きを先行し、その手続きよりも後にカードがユーザの手元へ配布される場合などであっても、本端末１００をユーザが手動操作することで、本実施の形態の仕組みを適用したカードシステムを利用する場合と同様の情報登録を実施でき、利便性の高いサービスを提供することができる。
【０１４６】
また、カード破損時などのカード再発行により、新規カードが配布された場合でも、本端末１００を手動操作することで、登録済み情報を活かして、対応するカード情報の入れ替えを実施することができる。
【０１４７】
また、カードシステムが本実施の形態の仕組みを適用した場合、暗証番号を含むカードに関する情報をカード発行時に自動登録することができる。そのため、ユーザの手動操作による情報登録の手間を排除でき、より利便性の高いサービスを提供することができる。
【０１４８】
加えて、カードシステム側で、本端末１００の識別情報、及び本端末１００への登録情報などを保持することで、カード破損などのカード再発行時にユーザ所有の端末１００に情報を自動登録すること、及び、端末１００の破損などに伴う交換時において、カードシステム側の保持情報を交換後の端末１００に再登録すること等により、情報消失に関するリスクを低減でき、かつ破損などのリスクに対し、利便性の高いサービスを提供することができる。
【０１４９】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【０１５０】
本発明は、銀行のＡＴＭ端末、コンビニエンスストアなどの電子マネーシステム、及び免許証や住民票などのＩＣカードシステムなど、各種のカードシステムの技術、並びに携帯電話機などの携帯型情報処理端末装置などに利用可能である。
【符号の説明】
【０１５１】
１０…カード（カード媒体）、９０…無線通信、１００…携帯型暗証番号管理装置（端末）、１１０…タッチパネル（画面）、１２０…生体情報リーダ、１３０…挿入口、１９０…指、２００…操作Ｉ/Ｆ部、２０１…情報表示部、２０２…入力操作部、２１０…操作処理部、２１１…表示制御部、２１２…入力制御部、２２０…情報保持部、２２１…装置情報保持部、２２２…所有者情報保持部、２２３…カード情報保持部、２２４…認証状態保持部、２３０…情報処理部、２３１…送受信処理部、２３２…本人認証処理部、２３３…カード情報処理部、２４０…外部Ｉ/Ｆ部、２４１…情報送受信部、２４２…生体情報読取部、２４３…カード情報読取部、５００…カードシステム（サービス提供システム）、５１０…ホストコンピュータ（サービス制御部）、５２０…サービス利用端末、５３０…情報登録端末、５４０…コントローラ、５４１…無線通信ユニット、５４２…カードリーダ、５４３…テンキー（暗証番号入力部）、５５０…通信網。
【図１】
2011034259.tif 000003
【図２】
2011034259.tif 000004
【図３】
2011034259.tif 000005
【図４】
2011034259.tif 000006
【図５】
2011034259.tif 000007
【図６】
2011034259.tif 000008
【図７】
2011034259.tif 000009
【図８】
2011034259.tif 000010
【図９】
2011034259.tif 000011
【図１０】
2011034259.tif 000012
【図１１】
2011034259.tif 000013
【図１２】
2011034259.tif 000014